【事件の表示】
　特願２００２−５８４６６１「エレクトロルミネッセンス表示パネル、画像表示装置、及び、それらの製造方法」拒絶査定不服審判事件〔平成１４年１０月３１日国際公開、ＷＯ０２／８７２８７〕について、次のとおり審決する。
【結　論】
　本件審判の請求は、成り立たない。
【理　由】
第１　手続の経緯
平成１３年　４月１９日　国際特許出願
平成１９年１０月３１日　拒絶理由通知書
平成２０年　１月１５日　意見書
平成２０年　１月１５日　手続補正書（１）
平成２０年１２月２６日　拒絶理由通知書（最後）
平成２１年　３月　９日　意見書
平成２１年　３月　９日　手続補正書（２）
平成２１年　３月３０日　手続補正書（２）の補正却下
平成２１年　３月３０日　拒絶査定
平成２１年　６月２５日　審判請求書
平成２１年　６月２５日　手続補正書（３）
平成２２年　７月２２日　審尋
平成２２年　９月２４日　回答書
　
第２　補正の却下の決定
［補正の却下の決定の結論］
　平成２１年６月２５日付けの手続補正を却下する。
　
［理由］
１　本件補正の内容
　平成２１年６月２５日付けの手続補正（以下，「本件補正」という。）は特許請求の範囲を補正するものであるところ，本件補正前の特許請求の範囲（平成２１年３月９日付けの手続補正は，平成２１年３月３０日付けの補正の却下の決定で却下されているので，平成２０年１月１５日付け手続補正書によって補正された特許請求の範囲）の記載は，下記のとおりである。
　
　　　　　　　　　　　　　　　　　記
　
　【請求項１】
　基板と，上記基板上にこの順で積層された第１の電極，電圧の印加により発光する複数の発光部及び第２の電極と，隣り合う上記発光部を離間する隔壁とを備え，
　上記発光部は，基板側からこの順で積層された第１の電荷輸送層と，発光層とを少なくとも備え，
　前記第２の電極は，前記隔壁上に直接，もしくは第２の電荷輸送層のみを介して形成されており，
　上記隔壁上面の高さは，上記発光層上面の高さ以下であるエレクトロルミネッセンス表示パネル。
　【請求項２】
　基板と，上記基板上にこの順で積層された第１の電極，電圧の印加により発光する複数の発光部及び第２の電極と，隣り合う上記発光部を離間する隔壁と，を備えるエレクトロルミネッセンス表示パネルであって，
　上記隔壁側面の上端及び発光層の外縁部表面を覆う絶縁層をさらに有し，
　前記隔壁の上面の高さは，上記発光層上面の高さ以下であること，を特徴とするエレクトロルミネッセンス表示パネル。
　【請求項３】
上記隔壁上面は，撥水性である請求項１または２記載のエレクトロルミネッセンス表示パネル。
　【請求項４】
　上記隔壁上面は，含フッ素化合物を含む請求項１または２記載のエレクトロルミネッセンス表示パネル。
　【請求項５】
　上記発光層は，上記第１の電荷輸送層の，第２の電極側に形成された蛍光色素の拡散層である請求項１または２記載のエレクトロルミネッセンス表示パネル。
　【請求項６】
　上記第１の電極は陰極であり，上記第２の電極は陽極である請求項５記載のエレクトロルミネッセンス表示パネル。
　【請求項７】
　上記発光部の上面は，上記第２の電極側に凸の曲面である請求項１から６のいずれか一項に記載のエレクトロルミネッセンス表示パネル。
　【請求項８】
　請求項１から７のいずれか一項に記載のエレクトロルミネッセンス表示パネルを備える画像表示装置。
　【請求項９】
　基板上に第１の電極を形成する工程と，
　上記電極上に隔壁を形成する工程と，
　上記電極上に前記形成された隔壁の上面の高さ以上の高さまで第１の電荷輸送層を形成する工程と，
　上記第１の電荷輸送層表面に蛍光色素を転写し，発光層を形成する工程と，
　前記隔壁上に直接または第二の電荷輸送層のみを介して第二の電極を形成する工程と，
を備え，
　上記隔壁形成工程により形成される上記隔壁上面の高さは，上記発光層上面の高さ以下であるエレクトロルミネッセンス表示パネルの製造方法。
　【請求項１０】
　基板上に第１の電極を形成する工程と，
　上記電極上に隔壁を形成する工程と，
　上記電極上に前記形成された隔壁の上面の高さ以上の高さまで第１の電荷輸送層を形成する工程と，
　上記第１の電荷輸送層表面に蛍光色素を転写し，発光層を形成する工程と，を備え，
　上記発光層を形成する工程は，転写材にレーザー光を照射する工程を含み，
　前記転写材は，この順で積層された透明基材，光熱変換層及び上記蛍光色素を含む色素層を備え，
　該色素層の表面は，平面形状を有し，
　前記レーザー光を，上記透明基材を介して上記光熱変換層に照射することを特徴とするエレクトロルミネッセンス表示パネルの製造方法。
　【請求項１１】
　上記レーザー光はフォトマスクを介して照射される請求項１０記載のエレクトロルミネッセンス表示パネルの製造方法。
　【請求項１２】
　請求項９〜１１のいずれか一項に記載の方法によりエレクトロルミネッセンス表示パネルを作製する工程を備える画像表示装置の製造方法。
　
　これに対して，本件補正後の特許請求の範囲の記載は，下記のとおりである。
　
　　　　　　　　　　　　　　　　　記
　
　【請求項１】
　基板と，
　前記基板上にこの順で積層された，第１の電極，電圧の印加により発光する複数の発光部，第２の電荷輸送層，および，第２の電極と，
　隣り合う前記発光部を離間する隔壁と，を備え，
　前記発光部は，基板側からこの順で積層された第１の電荷輸送層と，発光層と，を少なくとも備え，
　前記隔壁と前記第１の電荷輸送層との界面上部を前記第２の電荷輸送層で覆い，
　前記隔壁上面の高さは，前記発光層上面の高さ以下であること
　を特徴とするエレクトロルミネッセンス表示パネル。
　【請求項２】
　前記隔壁上面は，撥水性である請求項１記載のエレクトロルミネッセンス表示パネル。
　【請求項３】
　前記隔壁上面は，含フッ素化合物を含む請求項１記載のエレクトロルミネッセンス表示パネル。
　【請求項４】
　前記発光層は，前記第１の電荷輸送層の，前記第２の電極側に形成された蛍光色素の拡散層である請求項１記載のエレクトロルミネッセンス表示パネル。
　【請求項５】
　前記第１の電極は陰極であり，前記第２の電極は陽極である請求項４記載のエレクトロルミネッセンス表示パネル。
　【請求項６】
　前記発光部の上面は，前記第２の電極側に凸の曲面である請求項１から５のいずれか一項に記載のエレクトロルミネッセンス表示パネル。
　【請求項７】
　請求項１から６のいずれか一項に記載のエレクトロルミネッセンス表示パネルを備える画像表示装置。
　【請求項８】
　基板上に第１の電極を形成する工程と，
　前記第１の電極上に隔壁を形成する工程と，
　前記第１の電極上に前記隔壁の上面の高さ以上の高さまで，第１の電荷輸送層を形成する工程と，
　前記第１の電荷輸送層の表面に蛍光色素を転写し，発光層を形成する工程と，
　前記隔壁と前記第１の電荷輸送層との界面上部を，第２の電荷輸送層で覆う工程と，からなり，
　前記隔壁を形成する工程により形成される前記隔壁上面の高さは，前記発光層上面の高さ以下であること
　を特徴とするエレクトロルミネッセンス表示パネルの製造方法。
　【請求項９】
　請求項８記載の方法によりエレクトロルミネッセンス表示パネルを作製する工程を備える画像表示装置の製造方法。
　
　そうしてみると，本件補正は，本件補正前の請求項２が削除され，本件補正前の請求項９を請求項８に繰り上げる際に，「前記隔壁上に直接または第二の電荷輸送層のみを介して第二の電極を形成する工程」という記載を削除する補正事項（以下，「補正事項」という。）を含むものである。
　
２　本件補正についての検討
　補正事項は，発明特定事項の一部を削除するものであるから，平成１４年法律第２４号改正附則第２条第１項によりなお従前の例によるとされる同法による改正前の特許法（以下，「改正前特許法」という。）第１７条の２第４項第２号に規定する特許請求の範囲の減縮を目的としないものである。また，補正事項が，「請求項の削除」（第１号），「誤記の訂正」（第３号）及び「明りょうでない記載の釈明」（第４号）のいずれにも該当しないことは明らかである。
　そうしてみると，本件補正は，改正前特許法第１７条の２第４項に違反してなされたものである。
　
３　小括
　したがって，本件補正は改正前特許法第１５９条第１項において読み替えて準用する同法第５３条第１項の規定により却下すべきものである。
　
第３　本願発明について
１　本願発明
　平成２１年６月２５日付けの手続補正は却下されたので，本願の請求項１ないし１２に係る発明は，本件補正前の平成２０年１月１５日付け手続補正書により補正された特許請求の範囲の請求項１ないし１２に記載された事項により特定されるものであるところ，その請求項１に係る発明（以下，「本願発明」という。）は上記のとおりである。
　
２　引用発明
　本願の出願日前に頒布された刊行物である特開２０００−１００５７６号公報（以下，「引用例」という。）には，各図とともに以下の事項が記載されている。
記載事項ア　「【０００１】【発明の属する技術分野】本発明は，有機発光層を備えて構成される有機ＥＬ素子を有した，有機ＥＬ（有機エレクトロルミネセンス）ディスプレイに関する。」
記載事項イ　「【００１７】【発明の実施の形態】以下，本発明を実施形態例により詳しく説明する。図１（ａ），（ｂ），（ｃ）は本発明における有機ＥＬディスプレイの一実施形態例の概略構成を示す図であり，図１（ａ），（ｂ），（ｃ）中符号２０は有機ＥＬディスプレイである。【００１８】この有機ＥＬディスプレイ２０において，図１（ｂ）に示すようにその透明基板２１上には，透明導電材料，本例ではＩＴＯからなるストライプ状の第１の電極（アノード電極）２２が複数並列して形成され，またこれら第１の電極２２…を覆うようにしてポリイミドからなる絶縁層２３が形成されている。絶縁層２３には，前記第１の電極２２…の直上において，該第１の電極２２の表面を外側に臨ませる平面視略矩形状の開口部２４が多数ドット状に形成配置されている。【００１９】この開口部２４は，第１の電極２２…の直上において，後述する第２の電極２６との交差部に設けられたもので，その内壁面が，下側から上側に行くにつれて漸次内側から外側に傾斜するテーパ状に形成されたものである。すなわち，この開口部２４は，その底部の矩形形状が上部の矩形形状より小さいものとなっており，図１（ｃ）に示すように底部２４ａの矩形形状における，第１の電極２２の幅方向と同じ方向の幅ｗ１が第１の電極２２の幅ｗ２より狭く，これにより該開口部２４の底部２４ａが，前記第１の電極２２の上から外れることなく，その上に載った状態になっている。【００２０】また，第１の電極２２…上には，図１（ｂ）に示すように前記絶縁層２３の開口部２４内から絶縁層２３上にかけて有機層２５ａ，２５ｂ，２５ｃ…が設けられている。これら有機層２５ａ，２５ｂ，２５ｃ…は，開口部２４を介して第１の電極２２に通じ，すなわち第１の電極２２に接続したもので，図１（ｃ）に示すように平面視した状態で矩形島状に略独立して形成されたものであり，前記開口部２４の底部２４ａより大きく，さらにその上面における第１の電極２２の幅方向と同じ方向の幅ｗ３が，第１の電極２２の幅ｗ２より広く形成されたものである。【００２１】また，これら有機層２５ａ，２５ｂ，２５ｃ…は，それぞれ赤（Ｒ），緑（Ｇ），青（Ｂ）のうちのいずれかの色に対応した有機発光材料からなる発光層を有し，さらに正孔輸送層，電子輸送層，正孔ブロック層などを有してこれらが積層されて形成されたものである。なお，本例においては，有機層２５ａの発光層は赤色（Ｒ）に，有機層２５ｂの発光層は緑色（Ｇ）に，有機層２５ｃの発光層は青色（Ｂ）にそれぞれ対応したものとなっている。【００２２】また，透明基板２０上には，絶縁層２３上にストライプ状の第２の電極２６が複数並列して形成され，かつ前記第１の電極２２…と略直交した状態に配置されている。これら第２の電極２６…は，遮光性を有する金属あるいは合金からなる低抵抗のもので，本例ではアルミニウム製となっている。また，これら第２の電極２６…は，第１の電極２２…の上に配置された有機層２５ａ，２５ｂ，２５ｃ…の上面側を覆って形成されたものである。したがって，このような構成のもとに有機層２５ａ，２５ｂ，２５ｃ…は，前述したようにそれぞれ第１の電極２２と第２の電極２６とが交差する位置に独立して配置されたものとなっている。【００２３】ここで，有機層２５ａ，２５ｂ，２５ｃ…の上面側を覆う第２の電極２６…は，本例では図１（ｂ）に示したように有機層２５ａ，２５ｂ，２５ｃ…の上面だけでなく絶縁層２３上に露出する側面をも覆って形成されており，これによって後述するように有機層２５ａ（２５ｂ，２５ｃ）で発光した際，その光は，上面や側面から外側に伝わることなく，その下面側から透明電極である第１の電極２２を通って透明基板２１に伝わり，さらにその外側に出射されるようになっている。」
記載事項ウ　「【００２４】このような構成の有機ＥＬディスプレイ２０を形成するには，まず，図２（ａ）に示すようにガラスからなる透明基板２１を用意する。続いて，この透明基板２１上に，光透過性に優れかつ良好な導電性を有する透明導電材料，本例ではＩＴＯをスパッタ法等の物理的成膜法によって成膜し，さらに公知のリソグラフィー技術およびエッチング技術を用い，図２（ｂ）に示すようにストライプ状の第１の電極２２…を形成する。【００２５】次に，これら第１の電極２２…を覆った状態で透明基板２１上に絶縁材料，本例ではポリイミドをスピンコート法によって塗布し，続いて，公知のリソグラフィー技術を用いて図２（ｃ）に示すように第１の電極２２…上に開口部２４…を形成し，絶縁層２３を得る。ここで，開口部２４の形成にあたっては，その内壁面がテーパ状となるように形成するとともに，その底部２４ａが第１の電極２２の直上に位置した状態，すなわち第１の電極２２上に載った状態となるようにする。【００２６】ここで，この後に形成する有機層２５ａ，２５ｂ，２５ｃ…については，図１（ｃ）に示したごとくその幅ｗ３を第１の電極２２の幅ｗ２より広く形成することから，幅ｗ３を幅ｗ２より狭くする場合に比べ，層間マージンを同じに設計すると，開口部２４についてはその面積，特に底部２４ａの面積を十分に広くとることが可能になり，もちろん本例においては底部２４ａの面積を十分に広くする。なお，絶縁層２３としてポリイミドを用いたのは，良好な絶縁性を持つとともに，下地との密着性も良いからであるが，このような性質を有する絶縁材料であれば，他の材料を用いてもよいのはもちろんである。【００２７】次いで，矩形の開口を複数配列してなる蒸着マスクを用い，真空蒸着法によって図２（ｄ）に示すように開口部２４…内およびその周辺の絶縁層２３上に赤色（Ｒ）の有機層２５ａを形成する。続いて，図２（ｅ）に示すように有機層２５ａの形成と同様にして緑色（Ｇ）の有機層２５ｂ，青色（Ｂ）の有機層２５ｃを順次形成する。なお，これら有機層２５ａ，２５ｂ，２５ｃ…の形成については，各色毎に対応する蒸着マスクをそれぞれに交換して用い，あるいは同じ蒸着マスクを移動して用い，蒸着を行うようにする。したがって，得られる有機層２５ａ，２５ｂ，２５ｃ…は個々に独立した平面視矩形形状のものに堆積形成される。【００２８】ここで，有機層２５ａ，２５ｂ，２５ｃ…については，前述したようにその幅ｗ３を第１の電極２２の幅ｗ２より広くすることから，パターニングずれなどによって隣り合う有機層が部分的に接触することもある。しかしながら，有機層２５ａ，２５ｂ，２５ｃにおいて実際に発光に寄与する部分は，第１の電極２２と第２の電極２６とに直接挟まれた部分，すなわち開口部２４の底部２４ａの直上部であることから，隣り合う有機層が部分的に接触しても，表示特性上何等支障がないのである。また，このように隣り合う有機層が部分的に接触していても，これら有機層はそれぞれ，本発明における略独立した島状のものとする。【００２９】次いで，ストライプ状の開口パターンを有する蒸着マスクを用い，スパッタ法や蒸着法等の物理的成膜法によって図２（ｆ）に示すようにストライプ状の第２の電極２６…を，第１の電極２２に略直交し，かつ有機層２５ａ，２５ｂ，２５ｃを覆った状態に形成する。その後，第２の電極２６…を覆って絶縁層（図示略）等を形成し，フルカラーの有機ＥＬディスプレイ２０を得る。なお，前記有機層２５ａ，２５ｂ，２５ｃ…や第２の電極２６…の形成法としては，蒸着マスク法に代えてその他のパターニング法，例えばリソグラフィー技術およびエッチング技術による方法などを用いてもよい。」
記載事項エ　「【００３４】また，前記有機ＥＬディスプレイ２０では，有機層２５ａ，２５ｂ，２５ｃ…を矩形島状に略独立して形成するとともに，第２の電極２６…によってこれら有機層２５ａ，２５ｂ，２５ｃ…の上面側，すなわちその上面および側面を覆っているので，有機層２５ｂ（２５ａ，２５ｃ）で発光した際，その光を上面や側面から外側に伝えることなく反射し，結果としてほとんど全ての光を下面から透明電極である第１の電極２２を通して透明基板２１に伝え，さらにその外側に出射するようになる。したがって，有機層２５ａ，２５ｂ，２５ｃ…で発光した光を有効に活用することができ，これにより高輝度で優れた色再現性を持つ表示を行うことができる。ここで，このような効果は，カラー有機デスプレイだけでなく，モノクロ有機ＥＬディスプレイにおいても同様に得られる。【００３５】なお，前記実施形態例では第２の電極２６…を全体に亘って同一幅のストライプ状に形成したが，本発明においては有機層２５ａ〜２５ｃの上面側を覆える平面視形状のものであれば特に限定されることなく，例えば，第２の電極を部分的に幅を狭くしたストライプ状のものとしてもよい。【００３６】また，前記実施形態例では有機層２５ａ，２５ｂ，２５ｃ…の上に直接第２の電極２６…を設けたが，該有機層２５ａ，２５ｂ，２５ｃ…の上にこれの上面形状とほぼ同一の大きさの金属膜（図示略）を設け，その上に第２の電極２６…を設けるようにしてもよく，さらには，有機層２５ａ，２５ｂ，２５ｃ…の上にちょうどこれの上面と側面とを覆う形状の金属膜（図示略）を設け，その上に第２の電極２６…を設けるようにしてもよい。【００３７】また，前記実施形態例では，本発明の有機ＥＬディスプレイをカラー有機ＥＬディスプレイに適用した場合の例について説明したが，本発明はモノクロ有機ＥＬディスプレイにも適用可能であり，さらに，単純マトリックス駆動方式の有機ＥＬディスプレイでなく，ＴＦＴ駆動などによるアクティブマトリクス方式の有機ＥＬディスプレイにも適用可能である。」
記載事項オ　【００３８】【発明の効果】以上説明したように本発明の有機ＥＬディスプレイは，有機層を，第１の電極と第２の電極との交差する位置にそれぞれ島状に略独立した状態で複数設けたものであるから，有機層と陰極および陽極の配置，結合を任意に行うことができ，これにより有機ＥＬ素子からなる画素および該素子の構成要素となる電極の選択配置が任意になり，したがって例えばカラーの有機ＥＬディスプレイの場合，より電流の流れる走査側の電極に抵抗の小さい金属あるいは合金からなる第２の電極を用いることができる。【００３９】そして，このようにより電流の流れる走査側の電極に抵抗の小さい第２の電極を用いれば，抵抗の大きな透明導電材料からなる第１の電極に大電流が流れないため，電圧降下による画素毎の発光の不均一を最小限に抑えることができ，表示性能の低下を防止することができる。また，抵抗の大きな第１の電極に大電流が流れないため，ここで消費される電力も小さくなり，したがって低消費電力化を図ることができる。【００４０】また，絶縁層の開口部の内壁面を，下側から上側に行くにつれて漸次内側から外側に傾斜するテーパ状に形成しているので，この開口部を埋め込んだ状態で設ける有機層のステップカバレージを良くすることができ，れにより有機層を覆って形成する第２の電極についてその断線を防止することができる。【００４１】また，有機層の上面における前記第１の電極の幅と同じ方向の幅を，該第１の電極の幅より広く形成しているので，有機層の幅を第１の電極の幅より狭くする場合に比べて特に絶縁層の開口部底部の面積を十分に広くとることができる。したがって，有機層において実際に発光に寄与する部分である，第１の電極に直接接触する面積を大きくすることができ，これにより表示の高輝度化を図ることができるとともに，例えば有機層の幅を第１の電極の幅より狭くしたものと同じ輝度を得ようとした場合，駆動電圧が下がることにより信頼性を増すことができる。
　
　これら記載事項及び各図からみて，引用例には，下記の発明（以下，「引用発明」という。）が記載されている。
　
　　　　　　　　　　　　　　　　　記
　
　透明基板（２１）上には，透明導電材料からなるストライプ状のアノード電極である第１の電極（２２）が複数並列して形成され，
　第１の電極（２２）を覆うようにしてポリイミドからなる絶縁層（２３）が形成され，該絶縁層（２３）には，前記第１の電極（２２）の直上において，該第１の電極（２２）の表面を外側に臨ませる平面視略矩形状の開口部（２４）が多数ドット状に形成配置され，
　前記第１の電極（２２）上には，前記絶縁層（２３）の前記開口部（２４）内から前記絶縁層（２３）上にかけて有機層（２５ａ，２５ｂ，２５ｃ，・・・）が設けられ，
　該有機層（２５ａ，２５ｂ，２５ｃ，・・・）は，それぞれ赤（Ｒ），緑（Ｇ），青（Ｂ）のうちのいずれかの色に対応した有機発光材料からなる発光層を有し，さらに正孔輸送層，電子輸送層，正孔ブロック層などを有してこれらが積層されて形成され，
　前記透明基板（２０）上には，前記絶縁層（２３）上にストライプ状の第２の電極（２６）が複数並列して形成され，
　該第２の電極（２６）は，前記第１の電極（２２）の上に配置された前記有機層（２５ａ，２５ｂ，２５ｃ，・・・）の上面側を覆って形成され，
　前記開口部（２４）は，前記第１の電極（２２）の直上において，前記第２の電極（２６）との交差部に設けられ，その内壁面が，下側から上側に行くにつれて漸次内側から外側に傾斜するテーパ状に形成され，
　前記有機層（２５ａ，２５ｂ，２５ｃ，・・・）は，前記第１の電極（２２）と前記第２の電極（２６）とが交差する位置に独立して配置され，
　有機層（２５ａ，２５ｂ，２５ｃ，・・・）を，第１の電極（２２）と第２の電極（２６）との交差する位置にそれぞれ島状に略独立した状態で複数設けたものであるから，有機層（２５ａ，２５ｂ，２５ｃ，・・・）と陰極および陽極の配置，結合を任意に行うことができ，これにより有機ＥＬ素子からなる画素および該素子の構成要素となる電極の選択配置が任意になり，カラーの有機ＥＬディスプレイの場合，より電流の流れる走査側の電極に抵抗の小さい金属あるいは合金からなる第２の電極を用いることができる，
　有機発光層を備えて構成される有機ＥＬ素子を有した，有機ＥＬディスプレイ。
　
３　対比
　本願発明と引用発明を対比する。
　第１に，引用発明の「透明基板（２１）」は，本願発明の「基板」に相当する。
　第２に，引用発明の透明基板（２１）上には「透明導電材料からなるストライプ状のアノード電極である第１の電極（２２）が複数並列して形成され」，前記第１の電極（２２）上には「前記絶縁層（２３）の前記開口部（２４）内から前記絶縁層（２３）上にかけて有機層（２５ａ，２５ｂ，２５ｃ，・・・）が」「それぞれ島状に略独立した状態で複数設け」られ，また，引用発明の第２の電極（２６）は「前記第１の電極（２２）の上に配置された前記有機層（２５ａ，２５ｂ，２５ｃ，・・・）の上面側を覆って形成され」ている。したがって，引用発明の「第１の電極（２２）」，「有機層（２５ａ，２５ｂ，２５ｃ，・・・）」及び「第２の電極（２６）」は，それぞれ，本願発明の，「第１の電極」，「電圧の印加により発光する複数の発光部」及び「第２の電極」に相当するとともに，「上記基板上にこの順で積層された」ものである。
　第３に，引用発明の絶縁層（２３）には，「前記第１の電極（２２）の直上において，前記第２の電極（２６）との交差部に」「該第１の電極（２２）の表面を外側に臨ませる平面視略矩形状の開口部（２４）」を「多数ドット状に形成配置」した「開口部（２４）」が設けられ，「前記第１の電極（２２）上には，前記絶縁層（２３）の前記開口部（２４）内から前記絶縁層（２３）上にかけて有機層（２５ａ，２５ｂ，２５ｃ，・・・）が設けられ」，「前記有機層（２５ａ，２５ｂ，２５ｃ，・・・）は，前記第１の電極（２２）と前記第２の電極（２６）とが交差する位置に独立して配置され」ているのであるから，引用発明の絶縁層（２３）は，隣り合う発光部を離間しているといえる。したがって，引用発明の「絶縁層（２３）」と本願発明の「隔壁」は，「隣り合う上記発光部を離間する隔壁」という点で一致する。
　第４に，引用発明の有機層（２５ａ，２５ｂ，２５ｃ，・・・）は「それぞれ赤（Ｒ），緑（Ｇ），青（Ｂ）のうちのいずれかの色に対応した有機発光材料からなる発光層を有し，さらに正孔輸送層，電子輸送層，正孔ブロック層などを有してこれらが積層されて形成され」たものであり，また，引用発明の第１の電極（２２）はアノード電極として機能するものであるから，引用発明１の発光層は，正孔輸送層の上に積層されて形成されている。したがって，引用発明１の有機層（２５ａ，２５ｂ，２５ｃ，・・・）は，本願発明の発光部の「基板側からこの順で積層された第１の電荷輸送層と，発光層とを少なくとも備え」という要件を満たす。
　第５に，引用発明において，「前記透明基板（２０）上には，前記絶縁層（２３）上にストライプ状の第２の電極（２６）が複数並列して形成され」るから，引用発明の第２の電極（２６）と，本願発明の第２の電極とは，「前記隔壁上に」「形成されており」という点で一致する。
　第６に，引用発明の「有機ＥＬディスプレイ」は，本願発明の「エレクトロルミネッセンス表示パネル」に相当する。
　そうしてみると，本願発明と引用発明とは，
「基板と，上記基板上にこの順で積層された第１の電極，電圧の印加により発光する複数の発光部及び第２の電極と，隣り合う上記発光部を離間する隔壁とを備え，
　上記発光部は，基板側からこの順で積層された第１の電荷輸送層と，発光層とを少なくとも備え，
　前記第２の電極は，前記隔壁上に形成されている，
　エレクトロルミネッセンス表示パネル。」
の点で一致し，以下の点で相違する。
（相違点１）
　本願発明の隔壁の「上面の高さは，上記発光層上面の高さ以下である」のに対し，引用発明の隔壁は，一応，これが明らかではない点。
（相違点２）
　本願発明の第２の電極は，前記隔壁上に「直接，もしくは第２の電荷輸送層のみを介して」形成されているのに対して，引用発明の第２の電極は，一応，これが明らかではない点。
　
４　判断
（相違点１について）
　引用発明の有機層（２５ａ，２５ｂ，２５ｃ，・・・）は，その一部が絶縁層（２３）上に設けられるものであるから，引用発明の絶縁層（２３）の「上面の高さは，上記発光層上面の高さ以下である」。
　なお，引用例の図１（ｂ）は模式図であって特に膜厚に関しては正確に描かれていないことが明らかではあるものの，開口の深さ及び傾斜並びに有機層の膜厚は，いずれも，引用発明を有機ＥＬディスプレイとして具体化するに際して適宜決められる，いわゆる設計的事項である。
　そうしてみると，相違点１の構成は，引用発明も備えている構成であり，仮にそうでないとしても，単なる設計的事項と評価しうる構成である。
　
（相違点２について）
　引用発明の第２の電極（２６）は「前記絶縁層（２３）上に」「複数並列して形成され」るものであるところ，引用例には，絶縁層（２３）と第２の電極（２６）との間に他の層を形成するような記載はなく，また，引用例の【図１】及び【図２】は模式図ではあるものの，そこからは，第２の電極（２６）が絶縁層（２３）上に直接形成されている様子が見て取れる。
　あるいは，引用発明の有機層（２５ａ，２５ｂ，２５ｃ，・・・）は「赤（Ｒ），緑（Ｇ），青（Ｂ）のうちのいずれかの色に対応した有機発光材料からなる発光層」とともに「電子輸送層」を有するところ，電子輸送層のみ一括して全面に形成可能であることは周知であり（必要ならば，特開平１１−２１４１５７号公報（図１），特開２０００−２１６３９６号公報（図３７）を参照。），このようにすると，引用発明の第２の電極（２６）は，絶縁層（２３）上に電子輸送層のみを介して形成されることとなる。
　そうしてみると，相違点２にかかる構成は，引用発明も備えている構成であり，あるいは，単なる設計的事項と評価しうる構成である。
　
　また，これら相違点によって奏される本願発明の作用効果は，引用発明及び周知技術から当業者が予測できる範囲のものである。
　
５　まとめ
　以上のとおりであるから，本願発明は，引用例に記載された発明であるから，特許法第２９条第１項第３号に該当し，特許を受けることができない。あるいは，本願発明は，引用例に記載された発明に基いて当業者が容易に発明をすることができたものであるから，特許法第２９条第２項の規定により特許を受けることができない。
　したがって，その余の請求項に係る発明について検討するまでもなく，本願は拒絶すべきものである。
　
第４　備考
　平成２１年６月２５日付けの手続補正は却下すべきものであるところ，請求人は平成２２年０９月２４日付けの回答書において，請求項８及び９を削除する用意があるとしている。しかしながら，本願においては請求人に対しすでに十分な補正の機会が与えられており，請求人に対し改めて補正の機会を与える必要がないことは明らかである。
　
　ところで，本件補正後の請求項１に係る発明（以下，「補正後発明」という。）は上記のとおりである。
　
　補正後発明と引用発明を対比すると，両者は，
「　基板と，
　前記基板上にこの順で積層された，第１の電極，電圧の印加により発光する複数の発光部，第２の電荷輸送層，および，第２の電極と，
　隣り合う前記発光部を離間する隔壁と，を備え，
　前記発光部は，基板側からこの順で積層された第１の電荷輸送層と，発光層と，を少なくとも備えた，
　エレクトロルミネッセンス表示パネル。」
の点で一致し，以下の点で相違する。
（相違点１）
　補正後発明の隔壁の「上面の高さは，前記発光層上面の高さ以下である」のに対し，引用発明の隔壁は，一応，これが明らかではない点。
（相違点２）
　補正後発明は，「前記隔壁と前記第１の電荷輸送層との界面上部を前記第２の電荷輸送層で覆い」という構成を備えるのに対し，引用発明は，この構成を備えない点。
　
　これら相違点に対する判断は以下のとおりである。
（相違点１について）
　「第３　本願発明について」の「４　判断」の相違点１についての判断と同様である。
（相違点２について）
　引用発明の有機層（２５ａ，２５ｂ，２５ｃ，・・・）は「赤（Ｒ），緑（Ｇ），青（Ｂ）のうちのいずれかの色に対応した有機発光材料からなる発光層」とともに「電子輸送層」を有するところ，電子輸送層のみ一括して全面に形成可能であることは周知であり（必要ならば，特開平１１−２１４１５７号公報（図１），特開２０００−２１６３９６号公報（図３７）を参照。），このようにすると，引用発明も「前記隔壁と前記第１の電荷輸送層との界面上部を前記第２の電荷輸送層で覆い」という構成を備えることとなる。
　そうしてみると，相違点２にかかる構成は，単なる設計的事項と評価しうる構成である。
　
　また，これら相違点によって奏される補正後発明の作用効果は，引用発明及び周知技術から当業者が予測できる範囲のものである。
　
　そうしてみると，本件補正後の請求項１に係る発明は，引用発明及び周知の技術に基いて当業者が容易に発明をすることができたものであるから，特許法第２９条第２項の規定により特許出願の際独立して特許を受けることができないものであり，いずれにせよ，本件補正は，特許法第１７条の２第５項において準用する同法第１２６条第５項の規定に適合しないものであり，同法第１５９条第１項において読み替えて準用する同法第５３条第１項の規定により却下すべきものである。
　
　よって，結論のとおり審決する。